(57)【要約】【課題】費用対効果の高い広告を実現する。【解決手段】広告主が依頼する広告行為を指定する依頼情報を取得する依頼情報取得部（１２）と、行為者が実施する行為条件を指定する行為条件情報を取得する行為条件情報取得部（１１）と、広告行為が行為条件に該当するとき、又は、行為条件が広告行為に該当するとき、広告行為の実施を行為者に指示する指示情報を作成する指示情報作成部（１５）と、を備えた広告斡旋装置（１）。【選択図】図２
2018136798.tif 000002
【特許請求の範囲】
【請求項１】
広告主が依頼する広告行為を指定する依頼情報を取得する依頼情報取得部と、
行為者が実施する行為条件を指定する行為条件情報を取得する行為条件情報取得部と、
上記依頼情報および上記行為条件情報を参照して、上記広告行為が上記行為条件に該当するとき、または、上記行為条件が上記広告行為に該当するとき、上記広告行為の実施を上記行為者に指示する指示情報を作成する指示情報作成部と、を備えている、
ことを特徴とする広告斡旋装置。
【請求項２】
上記依頼情報は、上記広告行為を実施するために用いる物品を指定する物品指定情報を含み、
当該広告斡旋装置は、上記物品指定情報の指定する物品を上記行為者に配送するための配送情報を作成する配送情報作成部を更に備えている、
ことを特徴とする請求項１に記載の広告斡旋装置。
【請求項３】
上記広告行為の実施状況を評価する実施状況評価部と、
上記実施状況評価部の評価結果に応じた広告料を上記広告主に請求するための請求情報を作成する請求情報作成部と、を更に備えている、
ことを特徴とする請求項１又は２に記載の広告斡旋装置。
【請求項４】
ソーシャルネットワークサービスに投稿されたコンテンツであって、上記広告行為に関連するコンテンツのコンテンツ数を計測するコンテンツ数計測部を更に備え、
上記実施状況評価部は、上記コンテンツ数に応じて上記広告行為の実施状況を評価する、
ことを特徴とする請求項３に記載の広告斡旋装置。
【請求項５】
上記依頼情報は、上記広告行為を実施する時間帯を指定する時間帯指定情報と、上記広告行為を実施する場所を指定する場所指定情報とを含み、
上記コンテンツ数計測部は、上記時間帯指定情報の指定する時間帯に上記場所指定情報の指定する場所から上記ソーシャルネットワークサービスに投稿されたコンテンツであって、上記広告行為に関連する語を含むテキストコンテンツ、又は、上記広告行為に関連する像を含むイメージコンテンツのコンテンツ数を計測する、
ことを特徴とする請求項４に記載の広告斡旋装置。
【請求項６】
上記行為者が所持する端末で集音した音声を表す音声データ、又は、上記端末で撮像した画像を表す画像データを取得するデータ取得部と、
上記音声データ又は上記画像データに基づいて、上記行為者に対する周囲の注目度を評価する注目度評価部と、を更に備え、
上記実施状況評価部は、上記注目度に応じて上記広告行為の実施状況を評価する、
ことを特徴とする請求項３に記載の広告斡旋装置。
【請求項７】
上記行為者が所持する端末が、集音した音声又は撮像した画像に基づいて評価した、上記行為者に対する周囲の注目度を取得する注目度取得部を更に備え、
上記実施状況評価部は、上記注目度に応じて上記広告行為の実施状況を評価する、
ことを特徴とする請求項３に記載の広告斡旋装置。
【請求項８】
上記行為条件情報取得部が取得した行為条件情報を蓄積する行為条件情報蓄積部と、
上記行為条件情報蓄積部に蓄積された行為条件情報の中から、指定する行為条件に上記広告行為が該当する行為条件情報を選択する行為条件情報選択部と、を更に備え、
上記指示情報作成部が作成する指示情報は、上記広告行為の実施を、上記行為条件情報選択部が選択した行為条件情報を提供した行為者に指示するための指示情報である、
ことを特徴とする請求項１〜７の何れか１項に記載の広告斡旋装置。
【請求項９】
上記依頼情報取得部が取得した依頼情報を蓄積する依頼情報蓄積部と、
上記依頼情報蓄積部に蓄積された依頼情報の中から、指定する広告行為が上記行為条件に該当する依頼情報を選択する依頼情報選択部と、を更に備え、
上記指示情報作成部が作成する指示情報は、上記行為者に、上記依頼情報選択部が選択した依頼情報の指定する広告行為の実施を指示するための指示情報である、
ことを特徴とする請求項１〜７の何れか１項に記載の広告斡旋装置。
【請求項１０】
請求項１に記載の広告斡旋装置としてコンピュータを機能させるための広告斡旋プログラムであって、上記広告斡旋装置が備える各部として上記コンピュータを機能させるための広告斡旋プログラム。
【請求項１１】
請求項６に記載の広告斡旋装置に対して、集音した音声を表す音声データ、又は、撮像した画像を表す画像データを提供するデータ提供部を備えている、
ことを特徴とする端末装置。
【請求項１２】
集音した音声を表す音声データ、又は、撮像した画像を表す画像データに基づいて、上記行為者に対する周囲の注目度を評価する注目度評価部と、
請求項７に記載の広告斡旋装置に対して、上記注目度評価部が評価した注目度を提供する注目度提供部と、を備えている、
ことを特徴とする端末装置。
【請求項１３】
請求項１１又は１２に記載の端末装置としてコンピュータを機能させるための端末プログラムであって、上記端末装置が備える各部として上記コンピュータを機能させるための端末プログラム。
【発明の詳細な説明】
【技術分野】
【０００１】
本発明は、広告斡旋装置、広告斡旋プログラム、端末装置、および端末プログラムに関する。
【背景技術】
【０００２】
これまで、広告の主流は、テレビや新聞などのマスメディアを媒体とするマスメディア広告であった。マスメディア広告は、多くの消費者に届けることができるため、広告効果が高い。
【先行技術文献】
【特許文献】
【０００３】
【特許文献１】特開２００２−３２９０９５号公報（２００２年１１月１５日公開）
【発明の概要】
【発明が解決しようとする課題】
【０００４】
しかしながら、マスメディア広告は、広告料が高額であるため、一部の企業を除いて多くの広告主が容易に利用できるものではないことが広く知られている。また、最近の傾向として、新聞の購読率が低下しており、ＣＭをスキップするテレビの視聴方法が普及している。このため、新聞またはテレビを媒体するマスメディア広告の費用対効果が期待できない場合がある。
【０００５】
ところで、社会における情報伝達の在り方を俯瞰すると、マスメディアを媒体とする配信型の情報伝達に加え、ソーシャルネットワークを媒体とする拡散型の情報伝達が知られている。例えば、注目に値する出来事が起きると、その出来事は、ソーシャルネットワークを通じて拡散され、多くの消費者の間で話題となる。その結果、商品やサービスが広く認知され、ヒット商品を生み出すこともある。
【０００６】
このソーシャルネットワークの拡散効果による話題性等を利用すれば、広告料の高額化を招来することなく、費用対効果の高い広告を実現することができる。例えば、特定の行為を特定の時間に特定の場所で多数の行為者に実施させれば、その行為は、ソーシャルネットワークを通じて拡散され、多くの消費者の間で話題となる。例えば、広告対象商品を使用する行為、広告対象サービスをＰＲ（Public Relations）する行為、広告対象商品がプリントされた衣類を着用する行為など、広告主が指定した、広告効果を有する行為（以下、「広告行為」と記載する）が、ソーシャルネットワークで拡散されることで、拡散規模に応じた広告効果が期待される。
【０００７】
このような広告を実現するためには、広告主と行為者とをバインディングするシステムが必要になる。広告主と行為者とをバインディングするために利用可能な既存のシステムとしては、例えば、特許文献１に記載の広告代理仲介システムが挙げられる。特許文献１に記載の広告代理仲介システムは、（１）広告依頼者（上述した「広告主」に相当）が入力した広告依頼条件を蓄積する機能、（２）広告代理者（上述した「行為者」に相当）が入力した広告代理条件を蓄積する機能、（３）広告依頼条件に合致する広告代理条件を広告依頼者に検索させる機能、および、（４）広告代理条件に合致する広告依頼条件を広告依頼者に検索させる機能を有している。
【０００８】
しかしながら、特許文献１に記載の広告代理仲介システムを用いた場合、広告依頼者は、広告依頼条件に合致する広告代理条件を提示した広告代理者達と交渉および契約を行う必要があり、広告依頼者にとって手間である。また、広告依頼者の手間を省くために、広告代理者達との交渉および契約を広告代理仲介事業者が代行する場合、広告料の高額化を招来する。このため、特許文献１に記載の広告代理仲介システムには、広告主が気軽に利用することができないという問題があった。
【０００９】
本発明は、上記の問題に鑑みてなされたものであり、その目的は、広告主が従来よりも気軽に利用することが可能な広告であって、ソーシャルネットワークの拡散を利用した、費用対効果の高い広告を実現することである。
【課題を解決するための手段】
【００１０】
上記の課題を解決するために、本発明の一態様に係る広告斡旋装置は、広告主が依頼する広告行為を指定する依頼情報を取得する依頼情報取得部と、行為者が実施する行為条件を指定する行為条件情報を取得する行為条件情報取得部と、上記依頼情報および上記行為条件情報を参照して、上記広告行為が上記行為条件に該当するとき、または、上記行為条件が上記広告行為に該当するとき、上記広告行為の実施を上記行為者に指示する指示情報を作成する指示情報作成部と、を備えている。
【００１１】
また、上記の課題を解決するために、本発明の一態様に係る広告斡旋システムは、広告主端末と、行為者端末と、広告斡旋装置と、を備えており、上記広告斡旋装置は、上記広告主端末から、広告主が依頼する広告行為を指定する依頼情報を取得する依頼情報取得部と、上記行為者端末から、行為者が実施する行為条件を指定する行為条件情報を取得する行為条件情報取得部と、上記依頼情報および上記行為条件情報を参照して、上記広告行為が上記行為条件に該当するとき、または、上記行為条件が上記広告行為に該当するとき、上記広告行為の実施を上記行為者に指示するための指示情報を作成する指示情報作成部と、を備えている。
【００１２】
また、上記の課題を解決するために、本発明の一態様に係る広告斡旋方法は、広告主に行為者の広告行為を斡旋する広告斡旋方法であって、広告主が依頼する広告行為を指定する依頼情報を取得する依頼情報取得ステップと、行為者が実施する行為条件を指定する行為条件情報を取得する行為条件情報取得ステップと、上記依頼情報および上記行為条件情報を参照して、上記広告行為が上記行為条件に該当するとき、または、上記行為条件が上記広告行為に該当するとき、上記広告行為の実施を上記行為者に指示するための指示情報を作成する指示情報作成ステップと、を含んでいる。
【発明の効果】
【００１３】
本発明の一態様によれば、広告主が従来よりも気軽に利用することが可能な広告であって、ソーシャルネットワークの拡散を利用した、費用対効果の高い広告を実現することができる。
【図面の簡単な説明】
【００１４】
【図１】本発明の実施形態１に係る広告斡旋システムを示す模式図である。
【図２】本発明の実施形態１に係る広告斡旋装置を示すブロック図である。
【図３】本発明の実施形態１に係る行為者個人情報の構成を示す図である。
【図４】本発明の実施形態１に係る行為条件情報の構成を示す図である。
【図５】本発明の実施形態１に係る広告主個人情報の構成を示す図である。
【図６】本発明の実施形態１に係る依頼情報の構成を示す図である。
【図７】本発明の実施形態１に係る広告斡旋装置の処理を示すフローチャートである。
【図８】本発明の実施形態１の変形例に係る広告斡旋装置を示すブロック図である。
【図９】本発明の実施形態１の変形例に係る広告斡旋装置の処理を示すフローチャートである。
【図１０】本発明の実施形態２に係る広告斡旋システムを示す模式図である。
【図１１】本発明の実施形態２に係る広告斡旋装置を示すブロック図である。
【図１２】本発明の実施形態２に係る広告斡旋装置の処理を示すフローチャートである。
【図１３】本発明の実施形態２の変形例に係る広告斡旋装置を示すブロック図である。
【図１４】本発明の実施形態２の変形例に係る広告斡旋装置の処理を示すフローチャートである。
【発明を実施するための形態】
【００１５】
本発明の実施形態に係る広告斡旋システムについて、図面に基づいて説明すれば以下のとおりである。なお、以下に説明する広告斡旋システムは、広告主が指定した広告行為を行為者に実施させるためのものである。広告行為としては、「広告対象商品の商品名を声に出して言う」といった物品を使用しない広告行為の他に、「広告対象商品の商品名がプリントされたＴシャツを着る」といった物品（この場合はＴシャツ）を使用する広告行為の双方が想定される。
【００１６】
〔実施形態１〕
以下、本発明の実施形態１について、図１〜図９を用いて詳細に説明する。
【００１７】
（広告斡旋システム１００）
図１は、本発明の実施形態１に係る広告斡旋システム１００を示す模式図である。広告斡旋システム１００は、図１に示すように、広告斡旋装置１、行為者端末３、広告主端末４を含んでいる。広告斡旋装置１、行為者端末３、および広告主端末４は、ネットワークを介して相互に通信可能である。
【００１８】
広告斡旋装置１は、（１）広告行為を依頼する広告主と広告行為を実施する行為者とをバインディングする機能の他に、（２）広告行為の実施をバインディングされた行為者に指示するための指示情報を作成する機能、（３）広告行為の実施に必要な物品をバインディングされた行為者に配送するための配送情報を作成する機能、（４）広告行為の実施状況を評価する機能、（５）評価結果に応じた広告料を広告主に請求するための請求情報を作成する機能、および、（６）評価結果に応じた、または、予め定められた報酬を行為者に支払うための支払情報を作成する機能を有している。
【００１９】
広告斡旋装置１は、例えば、広告行為の斡旋を行う事業者によって、配送システム５、請求システム６、支払システム７、および通知システム８と共に運用される。ここで、配送システム５は、広告斡旋装置１が作成した配送情報に基づいて、広告行為の実施に必要な物品を行為者に配送するためのシステムである。請求システム６は、広告斡旋装置１が作成した請求情報に基づいて、広告料を広告主に請求するためのシステムである。支払システム７は、広告斡旋装置１が作成した支払情報に基づいて、報酬を行為者に支払うためのシステムである。通知システム８は、広告斡旋装置１が作成した指示情報（例えば、指示情報を含む電子メール）を行為者に送信するためのシステムである。配送システム５、請求システム６、支払システム７、および通知システム８については、公知の技術を用いて実現することが可能であるため、ここでは、その説明を割愛する。
【００２０】
行為者端末３は、行為者が使用する端末であり、その行為者が実施する広告行為の条件（以下、「行為条件」と記載する）を指定する行為条件情報を入力するために利用される。広告主端末４は、広告主が使用する端末であり、その広告主が依頼する広告行為を指定する依頼情報を入力するために利用される。ＳＮＳ９は、広告行為の実施状況を評価するために利用される、予め定められたソーシャルネットワークサービスである。ＳＮＳ９として利用可能なソーシャルネットワークサービスとしては、例えば、各ユーザが短文を投稿すること、及び、他のユーザが投稿した短文を閲覧することが可能な短文投稿サービスや、各ユーザが画像を投稿すること、及び、他のユーザが投稿した画像を閲覧することが可能な画像投稿サービスなどが挙げられる。
【００２１】
広告斡旋システム１００を用いれば、以下のような広告行為を多数（例えば１００人）の行為者に実施させることが可能である。
【００２２】
例１：２０１６年１２月１５日の０９時３０分から０９時５０分までの間、渋谷駅から代官山駅に向かう○○線の車内において、清涼飲料水○○を飲みながら、事前に配布されたトートバッグを肩にかけ、事前に配布されたシールを顔に貼る。
【００２３】
例２：２０１６年１２月１６日の１８時００分から１８時１０分までの間、東京都渋谷区の○○ビルの自動販売機前において、行列を作って予め定められたシナリオにそったパフォーマンスを行う。
【００２４】
例３：２０１６年１２月１６日の１２時００分から１５時００分までの間、千葉県船橋市の○○工場において、この工場の壁に○○の絵を描く。
【００２５】
例４：２０１７年１月２３日、朝の通勤又は通学に利用する地下鉄○○線の車内において、事前に配布されたＴシャツを着用する。
【００２６】
例５：２０１７年１月３０日及び２０１７年２月３日、午前１０時に○駅を出発する○○○線の第８号車において、この列車が○○駅を出発してから○○○駅に到着するまでの間、事前に配布された帽子を被る。
【００２７】
以上のような広告行為を実施すれば、その広告行為が世間の耳目を集め、ソーシャルネットワークによって拡散される。その結果、その広告行為を直接目撃した消費者のみならず、ソーシャルネットワークを利用する多くの消費者を広告対象商品に注目させることができる。また、例１又は例４において、行為者は、通勤又は通学中の空いた時間を使って広告行為を実施することができる。
【００２８】
なお、例１、例４、及び例５においては、広告行為の実施に際して物品（トートバック、シール、Ｔシャツ、帽子）が利用される。これらの物品には、例えば、広告対象商品の商品名、広告対象商品のロゴ、広告対象商品のＰＲ、広告対象商品に関するイベント情報、広告対象商品を製造又は販売する会社の会社名など、広告主が定めた広告情報をプリントすることができる。これにより、広告行為の宣伝効果を高めることができる。
【００２９】
（広告斡旋装置１）
図２は、本実施形態に係る広告斡旋装置１を示すブロック図である。広告斡旋装置１は、行為条件情報取得部１１、依頼情報取得部１２、行為条件情報選択部１３、配送情報作成部１４、指示情報作成部１５、コンテンツ数計測部１６、実施状況評価部１７、請求情報作成部１８、支払情報作成部１９、行為条件情報蓄積部Ｄ１、行為者個人情報蓄積部Ｄ２、および広告主個人情報蓄積部Ｄ３を備えている。行為者個人情報蓄積部Ｄ２および広告主個人情報蓄積部Ｄ３には、それぞれ、ユーザ登録を済ませた行為者および広告主の個人情報が予め蓄積されている。なお、行為者および広告主の個人情報の具体例については、参照する図面を代えて後述する。
【００３０】
行為条件情報取得部１１は、行為者端末３から、行為者が実施可能な行為条件を指定する行為条件情報を取得する。この行為条件情報には、少なくとも、行為者を識別するための行為者ＩＤ、実施可能な広告行為の内容に関する条件を指定する内容条件情報、広告行為を実施可能な時間帯に関する条件を指定する時間帯条件情報、および、広告行為を実施可能な場所に関する条件を指定する場所条件情報が含まれる。行為条件情報取得部１１が取得した行為条件情報は、行為条件情報蓄積部Ｄ１に蓄積される。なお、行為条件情報の具体例については、参照する図面を代えて後述する。
【００３１】
依頼情報取得部１２は、広告主端末４から、広告主が依頼する広告行為を指定する依頼情報を取得する。この依頼情報には、少なくとも、広告主を識別するための広告主ＩＤ、依頼する広告行為の内容を指定する内容指定情報、広告行為を実施する時間帯を指定する時間帯指定情報、広告行為を実施する場所を指定する場所指定情報、および、広告予算を指定する予算指定情報が含まれる。また、依頼する広告行為が物品を用いる広告行為である場合には、依頼情報に当該物品を指定する物品指定情報が含まれる。依頼情報取得部１２が取得した依頼情報は、行為条件情報選択部１３、配送情報作成部１４、指示情報作成部１５、コンテンツ数計測部１６、および請求情報作成部１８に提供される。なお、依頼情報の具体例については、参照する図面を代えて後述する。
【００３２】
行為条件情報選択部１３は、行為条件情報蓄積部Ｄ１に蓄積された行為条件情報の中から、依頼情報取得部１２が取得した依頼情報に該当する行為条件情報を選択する。選択する行為条件情報の数は、依頼情報取得部１２が取得した依頼情報の指定する広告予算に応じて決める。ここで、依頼情報が行為条件情報に該当する、あるいは、行為条件情報が依頼情報に該当するとは、依頼情報の指定する各事項が、それぞれ、行為条件情報の指定する各条件を充足することを指す。例えば、依頼情報が指定する内容、時間帯、および場所が、それぞれ、行為条件情報が指定する内容、時間帯、および場所に関する条件を充足するとき、依頼情報が行為条件情報に該当するという。行為条件情報選択部１３は、選択した行為条件情報に含まれる行為者ＩＤを配送情報作成部１４、指示情報作成部１５、および支払情報作成部１９に提供する。
【００３３】
配送情報作成部１４は、行為条件情報選択部１３が選択した行為条件情報を入力した行為者に対して、依頼情報取得部１２が取得した依頼情報が指定する物品を配送するための配送情報を作成する。この配送情報には、依頼情報取得部１２が取得した依頼情報が指定する物品の物品名の他に、行為条件情報選択部１３が選択した行為条件情報を入力した行為者の個人情報（例えば、住所および氏名）が宛先として含まれる。配送情報作成部１４は、この個人情報を行為者個人情報蓄積部Ｄ２から取得する。具体的には、配送情報作成部１４は、行為者個人情報蓄積部Ｄ２に蓄積された個人情報の中から、行為条件情報選択部１３が選択した行為条件情報と同じ行為者ＩＤに関連付けられた個人情報を取得する。配送情報作成部１４は、作成した配送情報を配送システム５に送信する。配送システム５は、この配送情報を配送情報作成部１４から取得し、取得した配送情報に従って物品の配送を手配する。
【００３４】
指示情報作成部１５は、行為条件情報選択部１３が選択した行為条件情報を入力した行為者に対して、依頼情報取得部１２が取得した依頼情報が指定する広告行為の実施を指示するための指示情報を作成する。この指示情報には、依頼情報取得部１２が取得した依頼情報が指定する広告行為の他に、行為条件情報選択部１３が選択した行為条件情報を入力した行為者の個人情報（例えば、メールアドレス）が宛先として含まれる。指示情報作成部１５は、この個人情報を行為者個人情報蓄積部Ｄ２から取得する。具体的には、指示情報作成部１５は、行為者個人情報蓄積部Ｄ２に蓄積された個人情報の中から、行為条件情報選択部１３が選択した行為条件情報と同じ行為者ＩＤに関連付けられた個人情報を取得する。指示情報作成部１５は、作成した指示情報を通知システム８に提供する。通知システム８は、この指示情報を指示情報作成部１５から取得し、取得した指示情報を行為者端末に送信する。
【００３５】
コンテンツ数計測部１６および実施状況評価部１７は、広告行為の実施状況を評価するための構成である。コンテンツ数計測部１６および実施状況評価部１７は、依頼情報取得部１２が取得した依頼情報が指定する時間帯（広告行為を実施する時間帯）が終了した後、以下のように動作する。
【００３６】
コンテンツ数計測部１６は、ＳＮＳ９に投稿されたコンテンツであって、依頼情報取得部１２が取得した依頼情報が指定する広告行為に関連するコンテンツのコンテンツ数を計測する。例えば、コンテンツ数計測部１６は、依頼情報の指定する時間帯に、依頼情報の指定する場所から投稿されたコンテンツであって、依頼情報の指定する内容に関連するコンテンツの数を計測する。ここで、依頼情報の指定する内容に関連するコンテンツとしては、依頼情報の指定する内容に関連する語を含むテキストコンテンツ、依頼情報の指定する内容に関連する物の像を含むイメージコンテンツ（静止画像又は動画像）、又は、このようなテキストコンテンツとイメージコンテンツとが組み合わせられた合成コンテンツなどが挙げられる。また、依頼情報の指定する内容に関連するキーワードを、所定の形式（例えば、ハッシュタグ）で含むコンテンツを、依頼情報の指定する内容に関連するコンテンツと見做してもよい。このようなコンテンツ数の計測は、例えば、ＳＮＳ９が提供するテキスト検索機能またはイメージ検索機能を利用することによって、容易に実現することができる。一例として、「青いＴシャツを着る」という文字列が内容指定情報として依頼情報に含まれている場合、この文字列をキーワードとするテキスト検索またはイメージ検索を、投稿時間および投稿場所に関する条件を付けて実行すればよい。コンテンツ数計測部１６は、計測したコンテンツ数を実施状況評価部１７に提供する。
【００３７】
実施状況評価部１７は、コンテンツ数計測部１６が計測したコンテンツ数に基づいて広告行為の実施状況を評価する。実施状況評価部１７による評価結果は、例えば、コンテンツ数計測部１６が計測したコンテンツ数と相関するスコアによって表される。この場合、コンテンツ数が多ければ多いほど、評価結果を表すスコアは高くなり、コンテンツ数が少なければ少ないほど、評価結果を表すスコアは低くなる。評価結果を表すスコアの導出は、コンテンツ数ｘにスコアｙを対応させる関数ｙ＝ｆ（ｘ）を用いて実現してもよいし、コンテンツ数ｘ１，ｘ２，…，ｘｎにスコアｙ１，ｙ２，…，ｙｎを対応させるテーブルを用いて実現してもよい。
【００３８】
なお、イメージコンテンツをコンテンツ数計測部１６の計測対象とする場合、画像全体のなかで依頼情報の指定する内容に関連する物（例えば、青いＴシャツ）の像が占める面積の割合が所定の閾値を超えるイメージコンテンツのみをカウントする構成を採用してもよい。この工夫によって、依頼情報の指定する内容と無関係なイメージコンテンツ（ノイズ）がカウントされる確率を低下させ、依頼情報の指定する内容に関連するイメージコンテンツをより精度良くカウントすることが可能になる。
【００３９】
また、依頼情報の指定する内容に関連する物（例えば、広告対象商品のパッケージ）に印刷される模様が既知である場合には、この模様を予めコンテンツ数計測部１６に学習させておき、この模様を像として含むイメージコンテンツのみをカウントする構成を採用してもよい。また、広告行為が物品を用いる広告行為である場合、この物品に所定のバーコードやＱＲコード（登録商標）などのコードを付しておき、このコードを像として含むイメージコンテンツのみをカウントする構成を採用してもよい。これらの工夫によっても、依頼情報の指定する内容と無関係なイメージコンテンツ（ノイズ）がカウントされる確率を低下させ、依頼情報の指定する内容に関連するイメージコンテンツをより精度良くカウントすることが可能になる。
【００４０】
これらの方法により計測されたコンテンツ数に基づいて、追加金額を設定してもよい。追加金額の設定には、例えば、予め定められた支払ルールが用いられる。この支払いルールには、例えば、「青いＴシャツの面積の割合が５０％を超えたイメージコンテンツの数が１０以上の場合、○○円の追加金額を支払うものとする」というルールが定められている。なお、コンテンツ数計測部１６や実施状況評価部１７が支払ルールを有していてもよく、実施状況評価部１７が支払ルールを参照してもよい。
【００４１】
実施状況評価部１７は、得られた評価結果を請求情報作成部１８および支払情報作成部１９に提供する。
【００４２】
請求情報作成部１８は、依頼情報取得部１２が取得した依頼情報を入力した広告主に対して、実施状況評価部１７の評価結果に応じた広告料を請求するための請求情報を作成する。この請求情報には、実施状況評価部１７の評価結果に応じた広告料の他に、依頼情報取得部１２が取得した依頼情報を入力した広告主の個人情報（例えば、メールアドレス）が宛先として含まれる。請求情報作成部１８は、この個人情報を広告主個人情報蓄積部Ｄ３から取得する。具体的には、請求情報作成部１８は、広告主個人情報蓄積部Ｄ３に蓄積された個人情報の中から、依頼情報取得部１２が取得した依頼情報と同じ広告主ＩＤに関連付けられた個人情報を取得する。請求情報に含まれる広告料は、例えば、依頼情報の指定する広告予算に応じた基本金額と評価結果に応じた追加金額との和である。評価結果に応じた追加金額の算定は、評価結果を表すスコアｙに追加金額ｚを対応させる関数ｚ＝ｇ（ｙ）を用いて実現してもよいし、評価結果を表すスコアｙ１，ｙ２，…，ｙｎに追加金額ｚ１，ｚ２，…，ｚｎを対応させるテーブルを用いて実現してもよい。請求情報作成部１８は、作成した請求情報を請求システム６に送信する。請求システム６は、請求情報作成部１８から請求情報を受信し、当該請求情報を広告主端末４に送信する。
【００４３】
支払情報作成部１９は、行為条件情報選択部１３が選択した行為条件情報を入力した行為者に対して、実施状況評価部１７の評価結果に応じた報酬を支払うための支払情報を作成する。この支払情報には、実施状況評価部１７の評価結果に応じた報酬金額の他に、行為条件情報選択部１３が選択した行為条件情報を入力した行為者の個人情報（例えば、口座番号）が振込先として含まれる。支払情報作成部１９は、この個人情報を行為者個人情報蓄積部Ｄ２から取得する。具体的には、支払情報作成部１９は、行為者個人情報蓄積部Ｄ２に蓄積された個人情報の中から、行為条件情報選択部１３が選択した行為条件情報と同じ行為者ＩＤに関連付けられた個人情報を取得する。支払情報に含まれる報酬金額は、例えば、予め定められた基本金額と評価結果に応じた追加金額との和である。評価結果に応じた追加金額の導出は、評価結果を表すスコアｙに支払金額ｗを対応させる関数ｗ＝ｈ（ｙ）を用いて実現してもよいし、評価結果を表すスコアｙ１，ｙ２，…，ｙｎに支払金額ｗ１，ｗ２，…，ｗｎを対応させるテーブルを用いて実現してもよい。支払情報作成部１９は、作成した支払情報を支払システム７に送信する。支払システム７は、支払情報作成部１９から支払情報を受信し、当該支払情報の支払金額が行為者口座に振り込まれるように手配する。
【００４４】
なお、本実施形態においては、行為条件情報選択部１３が選択した行為条件情報を入力した行為者全員に対して無条件に指示情報を送信する構成を採用しているが、本発明はこれに限定されない。すなわち、まず、行為条件情報選択部１３が選択した行為条件情報を入力した行為者全員に対して無条件に依頼打診を送信し、その後、依頼打診に対して依頼を引き受ける旨を返信した行為者に対してのみ指示情報を送信する構成を採用してもよい。
【００４５】
図３は、行為者個人情報蓄積部Ｄ２に蓄積される各行為者の個人情報の一例を示す図である。各行為者の個人情報には、図３に示すように、その行為者の行為者ＩＤ、その行為者の氏名、その行為者の住所、その行為者のメールアドレス、および、その行為者の口座番号が含まれる。これらの用途については、上述したとおりである。また、各行為者の個人情報には、図３に示すように、その行為者のマイナンバーが含まれていてもよい。各行為者に対する支払実績をマイナンバーと関連付けて管理する必要がある場合、このマイナンバーを用いることができる。また、各行為者の個人情報には、不適格フラグ（不図示）を含んでいてもよい。事業主は、ある行為者が広告行為に不適格であると判断した場合、その行為者の個人情報に不適格フラグを立てる。行為条件情報選択部１３は、不適格フラグが立てられた行為者の入力した行為条件情報を選択候補から除外する。なお、ある行為者が広告行為に不適格であると判断される場合としては、その行為者が依頼された広告行為を実施しなかった場合や、その行為者が広告主または事業者にとって好ましくないコンテンツをＳＮＳ９に投稿した場合などが挙げられる。
【００４６】
図４は、行為条件情報蓄積部Ｄ１に蓄積される各行為条件情報の一例を示す図である。各行為条件情報には、上述したように、その行為条件情報を入力した行為者の行為者ＩＤ、その行為者が実施可能な広告行為の内容に関する条件を指定する内容条件情報、その行為者が広告行為を実施可能な時間帯に関する条件を指定する時間帯条件情報、および、その行為者が広告行為を実施可能な場所に関する条件を指定する場所条件情報が含まれる。内容条件情報は、予め定められた行為条件群（例えば、着る、被る、飲む、食べる、手を上げる、逆立ちする、イベントに参加するなど）から行為者によって選択された少なくとも１つの行為条件を指定する。時間帯条件情報は、行為者によって設定された少なくとも１つの時間帯条件を指定する。時間帯条件情報が指定する時間帯条件は、例えば、「２０１６年１２月１５日：８時００分〜９時００分」のような特定の日の特定の時間帯、または、「土曜：１５時００分〜２０時００分」のような特定の曜日の特定の時間帯によって表される。場所条件情報は、行為者によって設定された少なくとも１つの場所条件を指定する。場所条件情報が指定する場所条件は、例えば、「東京都北区」のような特定の地域、または、「総武線：船橋駅〜東京駅」のような特定の路線の特定の区間によって表される。また、行為条件情報には、図４に示すように、希望報酬額を指定する希望報酬額指定情報が含まれていてもよい。この場合、行為条件情報選択部１３は、依頼情報の指定する広告予算から算定した予定報酬額を超える希望報酬額を指定した行為条件情報を選択候補から除外する。
【００４７】
図５は、広告主個人情報蓄積部Ｄ３に蓄積される各広告主の個人情報の一例を示す図である。各広告主の個人情報には、図５に示すように、その広告主の広告主ＩＤ、および、その広告主のメールアドレスが含まれる。これらの用途については、上述したとおりである。また、各行為者の個人情報には、図５に示すように、その広告主の氏名、および、その広告主の住所が含まれていてもよい。請求情報を郵送にて送付する場合には、この氏名および住所を宛先として用いることができる。
【００４８】
図６は、依頼情報取得部１２が取得する依頼情報の一例を示す図である。依頼情報には、上述したように、その依頼情報を入力した広告主を識別するための広告主ＩＤ、その広告主が依頼する広告行為の内容を指定する内容指定情報、その広告行為を実施する時間帯を指定する時間帯指定情報、その広告行為を実施する場所を指定する場所指定情報、その広告行為を実施するために用いる物品を指定する物品指定情報、その広告主が設定した広告予算を指定する予算指定情報が含まれる。内容指定情報は、予め定められた行為内容群（例えば、Ｔシャツを着る、セーターを着る、帽子を被る、かつらを被る、手を上げる、逆立ちする、ワークショップに参加するなど）から広告主によって選択された１つの行為内容を指定する。広告主が選択可能な行為内容と行為者が選択可能な行為内容との間には予め包含関係が定められており、行為条件情報選択部１３は、内容指定情報の指定する行為内容が内容条件情報の指定する行為条件を充足するか否かを、この包含関係に基づいて判断する。例えば、広告主が選択可能な行為内容「Ｔシャツを着る」と行為者が選択可能な行為条件「着る」との間に後者が前者を包含するという包含関係が定められている場合、内容指定情報の指定する行為内容「Ｔシャツを着る」は、内容条件情報の指定する行為条件「着る」を充足すると判断される。時間帯指定情報は、広告主によって設定された１つの時間帯を指定する。時間帯指定情報が指定する時間帯は、例えば、「２０１６年１２月１５日：８時００分〜８時３０分」のような特定の日の特定の時間帯である。行為条件情報選択部１３は、時間帯指定情報の指定する時間帯が時間帯条件情報の指定する時間帯条件を充足するか否かを、両者の間の時間的な包含関係に基づいて判断する。例えば、時間帯指定情報の指定する時間帯「２０１６年１２月１５日：８時００分〜８時３０分」は、時間帯条件情報の指定する時間帯条件「２０１６年１２月１５日：８時００分〜９時００分」を充足すると判断される。場所指定情報は、広告主によって設定された１つの時間帯を指定する。場所指定情報の指定する場所は、例えば、「東京都北区３丁目」のような特定の地域、または、「総武線：船橋駅〜市川駅」のような特定の路線の特定の区間である。行為条件情報選択部１３は、場所指定情報の指定する場所が場所条件情報の指定する場所条件を充足するか否かを、両者の間の地理的な包含関係に基づいて判断する。例えば、場所指定情報の指定する場所「東京都北区３丁目」は、場所条件情報が指定する場所条件「東京都北区」を充足すると判断される。
【００４９】
（広告斡旋装置１の処理）
図７は、本実施形態に係る広告斡旋装置１の処理を示すフローチャートである。本処理は、広告主端末４から依頼情報を取得したことをトリガーとして開始される。本処理に含まれる各ステップの内容を説明すれば、以下のとおりである。
【００５０】
（ステップＳ７０１）
依頼情報取得部１２は、広告主端末４から依頼情報を取得する。
【００５１】
（ステップＳ７０２）
行為条件情報選択部１３は、行為条件情報蓄積部Ｄ１に蓄積された行為条件情報の中から、ステップＳ７０１にて取得した依頼情報に該当する行為条件情報を選択する。
【００５２】
（ステップＳ７０３）
配送情報作成部１４は、ステップＳ７０２にて選択した行為条件情報を入力した行為者に対して、ステップＳ７０１にて取得した依頼情報が指定する物品を配送するための配送情報を作成する。配送システム５は、この配送情報に従って物品の配送を手配する。
【００５３】
（ステップＳ７０４）
指示情報作成部１５は、ステップＳ７０２にて選択した行為条件情報を入力した行為者に対して、ステップＳ７０１にて取得した依頼情報が指定する広告行為の実施を指示するための指示情報を作成する。通知システム８は、この指示情報を行為者端末３に送信する。なお、ステップＳ７０３およびステップＳ７０４の実施順は任意である。ステップＳ７０３を実施する前にステップＳ７０４を実施してもよいし、ステップＳ７０３と同時にステップＳ７０４を実施してもよいし、ステップＳ７０３を実施した後にステップＳ７０４を実施してもよい。
【００５４】
（ステップＳ７０５）
コンテンツ数計測部１６は、ステップＳ７０１にて取得した依頼情報の指定する時間帯が終わるまで、すなわち、広告行為の実施が終了するまで待って、ステップＳ７０６の処理を行う。
【００５５】
（ステップＳ７０６）
コンテンツ数計測部１６は、コンテンツ数計測部１６は、ＳＮＳ９に投稿されたコンテンツであって、ステップＳ７０１にて取得した依頼情報の指定する広告行為に関連するコンテンツのコンテンツ数を計測する。
【００５６】
（ステップＳ７０７）
実施状況評価部１７は、ステップＳ７０６にて計測したコンテンツ数に基づいて広告行為の実施状況を評価する。
【００５７】
（ステップＳ７０８）
請求情報作成部１８は、ステップＳ７０１にて取得した依頼情報を入力した広告主に対して、ステップＳ７０７での評価結果に応じた広告料を請求するための請求情報を作成する。請求システム６は、この請求情報を広告主端末４に送信する。
【００５８】
（ステップＳ７０９）
支払情報作成部１９は、ステップＳ７０２にて選択した行為条件情報を入力した行為者に対して、ステップＳ７０７での評価結果に応じた報酬を支払うための支払情報を作成する。支払システム７は、この支払情報にしたがって、支払金額の振り込みを手配する。なお、ステップＳ７０８およびステップＳ７０９の実施順は任意である。ステップＳ７０８を実施する前にステップＳ７０９を実施してもよいし、ステップＳ７０８と並行してステップＳ７０９を実施してもよいし、ステップＳ７０８を実施した後にステップＳ７０９を実施してもよい。
【００５９】
〔実施形態１の変形例〕
図２に示す広告斡旋装置１においては、広告主が入力した依頼情報を取得したときに、この依頼情報に該当する行為条件情報を、それ以前に取得した行為条件情報の中から選択する構成を採用しているが、本実施形態に係る広告斡旋装置１はこれに限定されない。すなわち、本実施形態に係る広告斡旋装置１においては、行為者が入力した行為条件情報を取得したときに、この行為条件情報に該当する依頼情報を、それ以前に取得した依頼情報の中から選択する構成を採用することも可能である。
【００６０】
図８は、本変形例に係る広告斡旋装置１を示すブロック図である。図８に示す広告斡旋装置１は、行為者が入力した行為条件情報を取得したときに、この行為条件情報に該当する依頼情報を、それ以前に取得した依頼情報の中から選択する構成を採用したものである。図８に示す広告斡旋装置１においては、図２に示す広告斡旋装置１が備える行為条件情報選択部１３および行為条件情報蓄積部Ｄ１が、それぞれ、依頼情報選択部２０および依頼情報蓄積部Ｄ４に置き換えられている。
【００６１】
依頼情報取得部１２は、広告主が依頼する広告行為を指定する依頼情報を広告主端末４から取得する。依頼情報取得部１２は、取得した依頼情報を依頼情報蓄積部Ｄ４に提供する。依頼情報蓄積部Ｄ４は、依頼情報取得部１２が取得した依頼情報を蓄積する。
【００６２】
行為条件情報取得部１１は、行為者端末３から行為条件情報を取得する。行為条件情報取得部１１は、取得した行為条件情報を依頼情報選択部２０に提供すると共に、取得した行為条件情報に含まれる行為者ＩＤを配送情報作成部１４、指示情報作成部１５、および支払情報作成部１９に提供する。
【００６３】
依頼情報選択部２０は、依頼情報蓄積部Ｄ４に蓄積された依頼情報の中から、行為条件情報取得部１１が取得した行為条件情報に該当する依頼情報を選択する。依頼情報選択部２０は、選択した依頼情報を、配送情報作成部１４、指示情報作成部１５、コンテンツ数計測部１６、および請求情報作成部１８に提供する。
【００６４】
配送情報作成部１４は、行為条件情報取得部１１が取得した行為条件情報を入力した行為者に対して、依頼情報選択部２０が選択した依頼情報が指定する物品を配送するための配送情報を作成する。指示情報作成部１５は、行為条件情報取得部１１が取得した行為条件情報を入力した行為者に対して、依頼情報選択部２０が選択した依頼情報が指定する広告行為の実施を指示するための指示情報を作成する。
【００６５】
コンテンツ数計測部１６は、ＳＮＳ９に投稿されたコンテンツであって、依頼情報選択部２０が選択した依頼情報が指定する広告行為に関連するコンテンツのコンテンツ数を計測する。実施状況評価部１７は、コンテンツ数計測部１６が計測したコンテンツ数に基づいて広告行為の実施状況を評価する。
【００６６】
請求情報作成部１８は、依頼情報選択部２０が選択した依頼情報を入力した広告主に対して、実施状況評価部１７の評価結果に応じた広告料を請求するための請求情報を作成する。支払情報作成部１９は、行為条件情報取得部１１が取得した行為条件情報を入力した行為者に対して、実施状況評価部１７の評価結果に応じた報酬を支払うための支払情報を作成する。
【００６７】
図９は、本変形例に係る広告斡旋装置１の処理を示すフローチャートである。本処理は、行為者端末３から行為条件情報を取得したことをトリガーとして開始される。本処理に含まれる各ステップの内容を説明すれば、以下のとおりである。
【００６８】
（ステップＳ９０１）
行為条件情報取得部１１は、行為者端末３から行為条件情報を取得する。
【００６９】
（ステップＳ９０２）
依頼情報選択部２０は、依頼情報蓄積部Ｄ４に蓄積された依頼情報の中から、ステップＳ９０１にて取得した行為条件情報に該当する依頼情報を選択する。
【００７０】
（ステップＳ９０３）
配送情報作成部１４は、ステップＳ９０１にて取得した行為条件情報を入力した行為者に対して、ステップＳ９０２にて選択した依頼情報が指定する物品を配送するための配送情報を作成する。配送システム５は、この配送情報に従って物品の配送を手配する。
【００７１】
（ステップＳ９０４）
指示情報作成部１５は、ステップＳ９０１にて取得した行為条件情報を入力した行為者に対して、ステップＳ９０２にて選択した依頼情報が指定する広告行為の実施を指示するための指示情報を作成する。通知システム８は、この指示情報を行為者端末３に送信する。なお、ステップＳ９０３およびステップＳ９０４の実施順は任意である。ステップＳ９０３を実施する前にステップＳ９０４を実施してもよいし、ステップＳ９０３と同時にステップＳ９０４を実施してもよいし、ステップＳ９０３を実施した後にステップＳ９０４を実施してもよい。
【００７２】
（ステップＳ９０５）
コンテンツ数計測部１６は、ステップＳ９０２にて選択した依頼情報の指定する時間帯が終わるまで、すなわち、広告行為の実施が終了するまで待って、ステップＳ９０６の処理を行う。
【００７３】
（ステップＳ９０６）
コンテンツ数計測部１６は、ＳＮＳ９に投稿されたコンテンツであって、ステップＳ９０２にて選択した依頼情報の指定する広告行為に関連するコンテンツのコンテンツ数を計測する。
【００７４】
（ステップＳ９０７）
実施状況評価部１７は、ステップＳ９０６にて計測したコンテンツ数に基づいて広告行為の実施状況を評価する。
【００７５】
（ステップＳ９０８）
請求情報作成部１８は、ステップＳ９０２にて選択した依頼情報を入力した広告主に対して、ステップＳ９０７での評価結果に応じた広告料を請求するための請求情報を作成する。請求システム６は、この請求情報を広告主端末４に送信する。
【００７６】
（ステップＳ９０９）
支払情報作成部１９は、ステップＳ９０１にて取得した行為条件情報を入力した行為者に対して、ステップＳ９０７での評価結果に応じた報酬を支払うための支払情報を作成する。支払システム７は、この支払情報にしたがって、支払金額の振り込みを手配する。なお、ステップＳ９０８およびステップＳ９０９の実施順は任意である。ステップＳ９０８を実施する前にステップＳ９０９を実施してもよいし、ステップＳ９０８と並行してステップＳ９０９を実施してもよいし、ステップＳ９０８を実施した後にステップＳ９０９を実施してもよい。
【００７７】
〔実施形態２〕
実施形態１に係る広告斡旋システム１００においては、広告行為の実施状況の評価にＳＮＳを利用する構成を採用しているが、本発明に係る広告斡旋システムはこれに限定されない。すなわち、本発明に係る広告斡旋装置においては、広告行為の実施状況の評価に行為者端末３を利用する構成を採用することも可能である。本実施形態においては、広告行為の実施状況の評価に行為者端末３を利用する構成について、図１０〜図１４に基づいて説明する。なお、説明の便宜上、実施形態１にて説明した部材と同じ機能を有する部材については、同じ符号を付記し、その説明を省略する。
【００７８】
（広告斡旋システム１００ａ）
図１０は、本実施形態に係る広告斡旋システム１００ａを示す模式図である。広告斡旋システム１００ａは、図１０に示すように、広告斡旋装置１ａ、行為者端末３、広告主端末４、および行為者所持端末（端末装置）９１を備えている。広告斡旋装置１ａ、行為者端末３、広告主端末４、および行為者所持端末９１は、ネットワークを介して相互に通信可能である。
【００７９】
行為者所持端末９１は、広告行為を実施する行為者が所持する携帯端末であって、集音した音声を表す音声データ、および、撮像した画像を表す画像データを、ネットワークを介して広告斡旋装置１ａに提供する機能を有している。
【００８０】
（広告斡旋装置１ａ）
図１１は、本実施形態に係る広告斡旋装置１ａを示すブロック図である。広告斡旋装置１ａは、行為条件情報取得部１１、依頼情報取得部１２、行為条件情報選択部１３、配送情報作成部１４、指示情報作成部１５、データ取得部２１、注目度評価部２２、実施状況評価部１７、請求情報作成部１８、支払情報作成部１９、行為条件情報蓄積部Ｄ１、行為者個人情報蓄積部Ｄ２、および広告主個人情報蓄積部Ｄ３を備えている。
【００８１】
行為条件情報取得部１１、依頼情報取得部１２、行為条件情報選択部１３、配送情報作成部１４、指示情報作成部１５、請求情報作成部１８、および支払情報作成部１９の機能は、実施形態１に係る広告斡旋装置１と同様である。以下、データ取得部２１、注目度評価部２２、および実施状況評価部１７の機能について説明する。
【００８２】
データ取得部２１は、広告行為を実施する行為者が所持する行為者所持端末９１で集音した音声を表す音声データ、又は、行為者所持端末９１で撮像した画像を表す画像データを行為者所持端末９１から取得する。データ取得部２１は、取得した音声データ、又は、画像データを注目度評価部２２に供給する。
【００８３】
注目度評価部２２は、データ取得部２１が取得した音声データ、又は、画像データに基づいて、行為者に対する周囲の注目度を評価する。音声データに基づく注目度の評価方法としては、（１）所定のアルゴリズムに従って音声データをテキスト化し、（２）音声データ全体のうち、テキスト化に成功した部分の割合を算出し、（３）算出した割合を注目度と見做す方法などが挙げられる。行為者の近くに人がいれば、その人が発話した音声はテキスト化に成功しやすい。行為者の近くにいる人が多ければ多いほど、すなわち、行為者が実施する行為に対する注目度が高ければ高いほど、音声データ全体の中でテキスト化に成功した部分の割合が増える。画像データに基づく注目度の評価方法としては、（１）所定のアルゴリズムに従って被写体として含まれる人の視線を検出し、（２）被写体として含まれる人のうち、視線が行為者所持端末９１を向いている人の割合を算出し、（３）算出した割合を注目度と見做す方法などが挙げられる。注目度評価部２２は、算出した注目度を実施状況評価部１７に提供する。
【００８４】
実施状況評価部１７は、注目度評価部２２が算出した注目度に基づいて広告行為の実施状況を評価する。実施状況評価部１７による評価結果は、例えば、注目度評価部２２が算出した注目度と相関するスコアによって表される。この場合、注目度が高ければ高いほど、評価結果を表すスコアは高くなり、注目度が低ければ低いほど、評価結果を表すスコアは低くなる。評価結果を表すスコアの導出は、注目度ｘにスコアｙを対応させる関数ｙ＝ｆ（ｘ）を用いて実現してもよいし、注目度ｘ１，ｘ２，…，ｘｎにスコアｙ１，ｙ２，…，ｙｎを対応させるテーブルを用いて実現してもよい。実施状況評価部１７は、得られた評価結果を請求情報作成部１８および支払情報作成部１９に提供する。
【００８５】
なお、広告斡旋装置１ａが注目度評価部２２を備える構成に代えて、行為者所持端末９１が注目度評価部２２を備える構成を採用することも可能である。この場合、広告斡旋装置１ａには、注目度評価部２２の代わりに、行為者所持端末９１が算出した注目度を行為者所持端末９１から取得する注目度取得部（図示せず）が搭載されることになる。実施状況評価部１７は、注目度評価部が取得した注目度に基づいて広告行為の実施状況を評価する。
【００８６】
（広告斡旋装置１ａの処理）
図１２は、本実施形態に係る広告斡旋装置１ａの処理を示すフローチャートである。本処理は、広告主端末４から依頼情報を取得したことをトリガーとして開始される。本処理に含まれる各ステップの内容を説明すれば、以下のとおりである。
【００８７】
（ステップＳ１２０１）
依頼情報取得部１２は、広告主端末４から依頼情報を取得する。
【００８８】
（ステップＳ１２０２）
行為条件情報選択部１３は、行為条件情報蓄積部Ｄ１に蓄積された行為条件情報の中から、ステップＳ７０１にて取得した依頼情報にマッチする行為条件情報を選択する。
【００８９】
（ステップＳ１２０３）
配送情報作成部１４は、ステップＳ１２０２にて選択した行為条件情報を入力した行為者に対して、ステップＳ１２０１にて取得した依頼情報が指定する物品を配送するための配送情報を作成する。配送システム５は、この配送情報に従って物品の配送を手配する。
【００９０】
（ステップＳ１２０４）
指示情報作成部１５は、ステップＳ１２０２にて選択した行為条件情報を入力した行為者に対して、ステップＳ１２０１にて取得した依頼情報が指定する広告行為の実施を指示するための指示情報を作成する。通知システム８は、この指示情報を行為者端末３に送信する。なお、ステップＳ１２０３およびステップＳ１２０４の実施順は任意である。ステップＳ１２０３を実施する前にステップＳ１２０４を実施してもよいし、ステップＳ１２０３と同時にステップＳ１２０４を実施してもよいし、ステップＳ１２０３を実施した後にステップＳ１２０４を実施してもよい。
【００９１】
（ステップＳ１２０５）
データ取得部２１は、行為者所持端末９１で集音した音声を表す音声データ、又は、行為者所持端末９１で撮像した画像を表す画像データを、行為者所持端末９１から取得する。
【００９２】
（ステップＳ１２０６）
注目度評価部２２は、ステップＳ１２０５にて取得した音声データ、又は、画像データに基づいて、行為者に対する周囲の注目度を評価する。
【００９３】
（ステップＳ１２０７）
実施状況評価部１７は、ステップＳ１２０６にて算出した注目度に基づいて広告行為の実施状況を評価する。
【００９４】
（ステップＳ１２０８）
請求情報作成部１８は、ステップＳ１２０１にて取得した依頼情報を入力した広告主に対して、ステップＳ１２０７での評価結果に応じた広告料を請求するための請求情報を作成する。請求システム６は、この請求情報を広告主端末４に送信する。
【００９５】
（ステップＳ１２０９）
支払情報作成部１９は、ステップＳ１２０２にて選択した行為条件情報を入力した行為者に対して、ステップＳ１２０７での評価結果に応じた報酬を支払うための支払情報を作成する。支払システム７は、この支払情報にしたがって、支払金額の振り込みを手配する。なお、ステップＳ１２０８およびステップＳ１２０９の実施順は任意である。ステップＳ１２０８を実施する前にステップＳ１２０９を実施してもよいし、ステップＳ１２０８と並行してステップＳ１２０９を実施してもよいし、ステップＳ１２０８を実施した後にステップＳ１２０９を実施してもよい。
【００９６】
〔実施形態２の変形例〕
図１１に示す広告斡旋装置１ａにおいては、広告主が入力した依頼情報を取得したときに、この依頼情報に該当する行為条件情報を、それ以前に取得した行為条件情報の中から選択する構成を採用しているが、本実施形態に係る広告斡旋装置１ａはこれに限定されない。すなわち、本実施形態に係る広告斡旋装置１ａにおいては、行為者が入力した行為条件情報を取得したときに、この行為条件情報に該当する依頼情報を、それ以前に取得した依頼情報の中から選択する構成を採用することも可能である。
【００９７】
図１３は、本変形例に係る広告斡旋装置１ａを示すブロック図である。図１３に示す広告斡旋装置１ａは、行為者が入力した行為条件情報を取得したときに、この行為条件情報に該当する依頼情報を、それ以前に取得した依頼情報の中から選択する構成を採用したものである。図１３に示す広告斡旋装置１ａにおいては、図１１に示す広告斡旋装置１ａが備える行為条件情報選択部１３および行為条件情報蓄積部Ｄ１が、それぞれ、依頼情報選択部２０および依頼情報蓄積部Ｄ４に置き換えられている。
【００９８】
依頼情報取得部１２は、広告主が依頼する広告行為を指定する依頼情報を広告主端末４から取得する。依頼情報取得部１２は、取得した依頼情報を依頼情報蓄積部Ｄ４に提供する。依頼情報蓄積部Ｄ４は、依頼情報取得部１２が取得した依頼情報を蓄積する。
【００９９】
行為条件情報取得部１１は、行為者端末３から行為条件情報を取得する。行為条件情報取得部１１は、取得した行為条件情報を依頼情報選択部２０に提供すると共に、取得した行為条件情報に含まれる行為者ＩＤを配送情報作成部１４、指示情報作成部１５、および支払情報作成部１９に提供する。
【０１００】
依頼情報選択部２０は、依頼情報蓄積部Ｄ４に蓄積された依頼情報の中から、行為条件情報取得部１１が取得した行為条件情報に該当する依頼情報を選択する。依頼情報選択部２０は、選択した依頼情報を、配送情報作成部１４、指示情報作成部１５、コンテンツ数計測部１６、および請求情報作成部１８に提供する。
【０１０１】
配送情報作成部１４は、行為条件情報取得部１１が取得した行為条件情報を入力した行為者に対して、依頼情報選択部２０が選択した依頼情報が指定する物品を配送するための配送情報を作成する。指示情報作成部１５は、行為条件情報取得部１１が取得した行為条件情報を入力した行為者に対して、依頼情報選択部２０が選択した依頼情報が指定する広告行為の実施を指示するための指示情報を作成する。
【０１０２】
データ取得部２１は、広告行為を実施する行為者が所持する行為者所持端末９１で集音した音声を表す音声データ、又は、行為者所持端末９１で撮像した画像を表す画像データを行為者所持端末９１から取得する。注目度評価部２２は、データ取得部２１が取得した音声データ、又は、画像データに基づいて、行為者に対する周囲の注目度を評価する。実施状況評価部１７は、注目度評価部２２が算出した注目度に基づいて広告行為の実施状況を評価する。
【０１０３】
請求情報作成部１８は、依頼情報選択部２０が選択した依頼情報を入力した広告主に対して、実施状況評価部１７の評価結果に応じた広告料を請求するための請求情報を作成する。支払情報作成部１９は、行為条件情報取得部１１が取得した行為条件情報を入力した行為者に対して、実施状況評価部１７の評価結果に応じた報酬を支払うための支払情報を作成する。
【０１０４】
図１４は、本変形例に係る広告斡旋装置１ａの処理を示すフローチャートである。本処理は、行為者端末３から行為条件情報を取得したことをトリガーとして開始される。本処理に含まれる各ステップの内容を説明すれば、以下のとおりである。
【０１０５】
（ステップＳ１３０１）
行為条件情報取得部１１は、行為者端末３から行為条件情報を取得する。
【０１０６】
（ステップＳ１３０２）
依頼情報選択部２０は、依頼情報蓄積部Ｄ４に蓄積された依頼情報の中から、ステップＳ１３０１にて取得した行為条件情報に該当する依頼情報を選択する。
【０１０７】
（ステップＳ１３０３）
配送情報作成部１４は、ステップＳ１３０１にて取得した行為条件情報を入力した行為者に対して、ステップＳ１３０２にて選択した依頼情報が指定する物品を配送するための配送情報を作成する。配送システム５は、この配送情報に従って物品の配送を手配する。
【０１０８】
（ステップＳ１３０４）
指示情報作成部１５は、ステップＳ１３０１にて取得した行為条件情報を入力した行為者に対して、ステップＳ１３０２にて選択した依頼情報が指定する広告行為の実施を指示するための指示情報を作成する。通知システム８は、この指示情報を行為者端末３に送信する。なお、ステップＳ１３０３およびステップＳ３０４の実施順は任意である。ステップＳ１３０３を実施する前にステップＳ１３０４を実施してもよいし、ステップＳ１３０３と同時にステップＳ１３０４を実施してもよいし、ステップＳ１３０３を実施した後にステップＳ１３０４を実施してもよい。
【０１０９】
（ステップＳ１３０５）
データ取得部２１は、行為者所持端末９１で集音した音声を表す音声データ、又は、行為者所持端末９１で撮像した画像を表す画像データを行為者所持端末９１から取得する。
【０１１０】
（ステップＳ１３０６）
注目度評価部２２は、ステップＳ１３０５にて取得した音声データ、又は、画像データに基づいて、行為者に対する周囲の注目度を評価する。
【０１１１】
（ステップＳ１３０７）
実施状況評価部１７は、ステップＳ１３０６にて評価した注目度に基づいて広告行為の実施状況を評価する。
【０１１２】
（ステップＳ１３０８）
請求情報作成部１８は、ステップＳ１３０２にて選択した依頼情報を入力した広告主に対して、ステップＳ１３０７での評価結果に応じた広告料を請求するための請求情報を作成する。請求システム６は、この請求情報を広告主端末４に送信する。
【０１１３】
（ステップＳ１３０９）
支払情報作成部１９は、ステップＳ１３０１にて取得した行為条件情報を入力した行為者に対して、ステップＳ１３０７での評価結果に応じた報酬を支払うための支払情報を作成する。支払システム７は、この支払情報にしたがって、支払金額の振り込みを手配する。なお、ステップＳ１３０８およびステップＳ１３０９の実施順は任意である。ステップＳ１３０８を実施する前にステップＳ１３０９を実施してもよいし、ステップＳ１３０８と並行してステップＳ１３０９を実施してもよいし、ステップＳ１３０８を実施した後にステップＳ１３０９を実施してもよい。
【０１１４】
〔ソフトウェアによる実現例〕
広告斡旋装置１、１ａの制御ブロックは、集積回路（ＩＣチップ）等に形成された論理回路（ハードウェア）によって実現してもよいし、ＣＰＵ（Central Processing Unit）を用いてソフトウェアによって実現してもよい。
【０１１５】
後者の場合、広告斡旋装置１、１ａは、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【０１１６】
〔まとめ〕
本発明の態様１に係る広告斡旋装置１は、広告主が依頼する広告行為を指定する依頼情報を取得する依頼情報取得部１２と、行為者が実施する行為条件を指定する行為条件情報を取得する行為条件情報取得部１１と、上記依頼情報および上記行為条件情報を参照して、上記広告行為が上記行為条件に該当するとき、または、上記行為条件が上記広告行為に該当するとき、上記広告行為の実施を上記行為者に指示する指示情報を作成する指示情報作成部１５と、を備えている。
【０１１７】
上記の構成によれば、広告主が依頼する広告行為を実施可能な行為者に対して当該広告行為の実施を指示する指示情報を自動的に作成することができる。したがって、広告主に複雑な手間や操作を要求することなく、かつ、広告料の高額化を招来することなく、ソーシャルネットワークの拡散を利用した、費用対効果の高い広告を実現することができる。
【０１１８】
本発明の態様２に係る広告斡旋装置１は、上記態様１において、上記依頼情報が、上記広告行為を実施するために用いる物品を指定する物品指定情報を含み、当該広告斡旋装置１が、上記物品指定情報の指定する物品を上記行為者に配送するための配送情報を作成する配送情報作成部１４を更に備えていてもよい。
【０１１９】
上記の構成によれば、広告行為を実施する行為者に対して当該広告行為を実施するために用いる物品を配送するための配送情報を自動的に作成することができる。このため、配送情報を人手で作成するためのコストを生じさせることなく、物品を用いた広告行為を行為者に依頼することが可能になる。
【０１２０】
本発明の態様３に係る広告斡旋装置１は、上記態様１又は２において、上記広告行為の実施状況を評価する実施状況評価部１７と、上記実施状況評価部１７の評価結果に応じた広告料を上記広告主に請求するための請求情報を作成する請求情報作成部１８と、を更に備えていてもよい。
【０１２１】
上記の構成によれば、実施状況の評価結果に応じた広告料を広告主に請求することができる。換言すれば、広告主は、成果に応じた広告料を負担するだけで、広告行為を行為者に依頼することが可能になる。
【０１２２】
本発明の態様４に係る広告斡旋装置１は、上記態様３において、ソーシャルネットワークサービスに投稿されたコンテンツであって、上記広告行為に関連するコンテンツのコンテンツ数を計測するコンテンツ数計測部１６を更に備え、上記実施状況評価部１７は、上記コンテンツ数に応じて上記広告行為の実施状況を評価してもよい。
【０１２３】
上記の構成によれば、ソーシャルネットワークサービスにおける広告料を広告主に請求することが可能になる。
【０１２４】
本発明の態様５に係る広告斡旋装置１は、上記態様４において、上記依頼情報が、上記広告行為を実施する時間帯を指定する時間帯指定情報と、上記広告行為を実施する場所を指定する場所指定情報とを含み、上記コンテンツ数計測部１６が、上記時間帯指定情報の指定する時間帯に上記場所指定情報の指定する場所から上記ソーシャルネットワークサービスに投稿されたコンテンツであって、上記広告行為に関連する語を含むテキストコンテンツ、又は、上記広告行為に関連する像を含むイメージコンテンツのコンテンツ数を計測してもよい。
【０１２５】
上記の構成によれば、ソーシャルネットワークサービスに投稿されたテキストコンテンツ、又は、イメージコンテンツの数に応じた広告料を広告主に請求することが可能になる。
【０１２６】
本発明の態様６に係る広告斡旋装置１ａは、上記態様３において、上記行為者が所持する端末で集音した音声を表す音声データ、又は、上記端末で撮像した画像データを取得するデータ取得部２１と、上記音声データ又は上記画像データに基づいて、上記行為者に対する周囲の注目度を評価する注目度評価部２２と、を更に備え、上記実施状況評価部１７が、上記注目度に応じて上記広告行為の実施状況を評価してもよい。
【０１２７】
上記の構成によれば、行為者に対する周囲の注目度に応じた広告料を広告主に請求することが可能になる。
【０１２８】
本発明の態様７に係る広告斡旋装置１ａは、上記態様３において、上記行為者が所持する端末が、集音した音声又は撮像した画像に基づいて評価した、上記行為者に対する周囲の注目度を取得する注目度取得部を更に備え、上記実施状況評価部１７は、上記注目度に応じて上記広告行為の実施状況を評価してもよい。
【０１２９】
上記の構成によれば、行為者に対する周囲の注目度に応じた広告料を広告主に請求することが可能になる。
【０１３０】
本発明の態様８に係る広告斡旋装置１は、上記態様１〜７において、上記行為条件情報取得部が取得した行為条件情報を蓄積する行為条件情報蓄積部Ｄ１と、上記行為条件情報蓄積部Ｄ１に蓄積された行為条件情報の中から、指定する行為条件に上記広告行為が該当する行為条件情報を選択する行為条件情報選択部１３と、を更に備え、上記指示情報作成部１５が作成する指示情報は、上記広告行為の実施を、上記行為条件情報選択部１３が選択した行為条件情報を提供した行為者に指示するための指示情報であってもよい。
【０１３１】
上記の構成によれば、広告主が依頼情報を入力した時点で、その広告主が依頼する広告行為を実施可能な行為者に対してその広告行為の実施を指示する指示情報を自動的に作成することができる。
【０１３２】
本発明の態様９に係る広告斡旋装置１は、上記態様１〜７において、上記依頼情報取得部が取得した依頼情報を蓄積する依頼情報蓄積部Ｄ４と、上記依頼情報蓄積部Ｄ４に蓄積された依頼情報の中から、指定する広告行為が上記行為条件に該当する依頼情報を選択する依頼情報選択部２０と、を更に備え、上記指示情報作成部が作成する指示情報は、上記行為者に、上記依頼情報選択部が選択した依頼情報の指定する広告行為の実施を指示するための指示情報であってもよい。
【０１３３】
上記の構成によれば、行為者が行為条件情報を入力した時点で、その行為者に対してその行為者が実施可能な広告行為の実施を指示する指示情報を自動的に作成することができる。
【０１３４】
本発明の態様１０に係る広告斡旋システム１００は、広告主端末４と、行為者端末３と、広告斡旋装置１と、を備えており、上記広告斡旋装置１は、上記広告主端末４から、広告主が依頼する広告行為を指定する依頼情報を取得する依頼情報取得部１２と、上記行為者端末３から、行為者が実施可能な行為条件を指定する行為条件情報を取得する行為条件情報取得部１１と、上記広告行為が上記行為条件に該当するとき、上記広告行為の実施を上記行為者に指示するための指示情報を作成する指示情報作成部１５と、を備えている。
【０１３５】
本発明の態様１１に係る広告斡旋方法は、広告主に行為者の広告行為を斡旋する広告斡旋方法であって、広告主が依頼する広告行為を指定する依頼情報を取得する依頼情報取得ステップと、行為者が実施可能な行為条件を指定する行為条件情報を取得する行為条件情報取得ステップと、上記広告行為が上記行為条件に該当するとき、上記広告行為の実施を上記行為者に指示するための指示情報を作成する指示情報作成ステップと、を含んでいる。
【０１３６】
本発明の各態様に係る広告斡旋装置１、１ａは、コンピュータによって実現してもよく、この場合には、コンピュータを上記広告斡旋装置１、１ａが備える各部（ソフトウェア要素）として動作させることにより上記広告斡旋装置１、１ａをコンピュータにて実現させる広告斡旋プログラムも、本発明の範疇に入る。
【０１３７】
本発明の態様１１に係る端末装置（行為者所持端末９１）は、上記態様６に係る広告斡旋装置１ａに対して、集音した音声を表す音声データ、又は、撮像した画像を表す画像データを提供するデータ提供部を備えている。
【０１３８】
本発明の態様１２に係る端末装置（行為者所持端末９１）は、集音した音声を表す音声データ、又は、撮像した画像を表す画像データに基づいて、上記行為者に対する周囲の注目度を評価する注目度評価部と、上記態様７に係る広告斡旋装置１ａに対して、上記注目度評価部が評価した注目度を提供する注目度提供部と、を備えている。
【０１３９】
また、本発明の態様１１又は１２に係る端末装置（行為者所持端末９１）は、コンピュータ（例えば、スマートフォン）によって実現してもよく、この場合には、コンピュータを上記端末装置が備える各部（ソフトウェア要素）として動作させることにより上記端末装置をコンピュータにて実現させる端末プログラムも、本発明の範疇に入る。
【０１４０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【０１４１】
例えば、本実施形態においては、広告行為を実施する時間帯に広告行為を実施する場所からＳＮＳ９に投稿されたコンテンツを、コンテンツ数計測部１６によるカウントの対象とする構成について説明したが、本発明はこれに限定されない。すなわち、（１）広告行為を実施する時間帯以外の所定の時間帯にＳＮＳ９に投稿されたコンテンツを、コンテンツ数計測部１６によるカウントの対象とする構成を採用してもよいし、（２）広告行為を実施する時間帯（が終わる時刻）から所定の時間が経過した時刻までにＳＮＳ９に投稿されたコンテンツを、コンテンツ数計測部１６によるカウントの対象とする構成を採用してもよい。ここで、「所定の時間帯」及び「所定の時間」は、事業者が広告斡旋装置１に直接入力してもよいし、広告主が広告主端末４を介して広告斡旋装置１に入力してもよい。この場合、広告行為を実施する場所として広告主が指定した場所以外からＳＮＳ９に投稿されたコンテンツもカウントの対象に加える。これにより、広告行為の実施状況を、広告行為の実施が完了した後のＳＮＳ９における事後的な拡散度（例えば、広告行為の実施が完了してから数週間後又は数か月後の拡散度）を考慮して評価することができる。
【０１４２】
また、上記広告行為に関連する語を含むテキストコンテンツ、または、上記広告行為に関連する物の像を含むイメージコンテンツのコンテンツ数を計測してもよく、例えば、依頼情報の指定する時間帯が経過した後のコンテンツ数から広告斡旋装置設定時間におけるコンテンツ数の増加量を計測してもよい。このとき、広告斡旋装置１は、上記イメージコンテンツに紐付けられたキーワードが含まれたコンテンツ数を取得し、取得したコンテンツ数と閾値を参照し、計測されたコンテンツ数の増加量が所定の閾値を超えた場合に、報酬を行為者に対して別途支払ってもよいものとする。
【０１４３】
上記閾値は、所定のポータルサイトでカウントされるコンテンツ数を参考に設定されてもよいものとする。具体的には、上記閾値には、当該ポータルで過去に最も多く投稿された値が設定されてもよいし、過去の投稿数の平均値に対して重み係数を乗じて得られる値が設定されてもよい。上述の内容は、例えば、図２に示した実施状況評価部１７で処理してもよく、また、これに限られるものでもない。
【符号の説明】
【０１４４】
１、１ａ  広告斡旋装置
３  行為者端末
４  広告主端末
１１  行為条件情報取得部
１２  依頼情報取得部
１３  行為条件情報選択部
１４  配送情報作成部
１５  指示情報作成部
１６  コンテンツ数計測部
１７  実施状況評価部
１８  請求情報作成部
２０  依頼情報選択部
２１  データ取得部
２２  注目度評価部
Ｄ１  行為条件情報蓄積部
Ｄ４  依頼情報蓄積部
９１  行為者所持端末（端末装置）
１００、１００ａ  広告斡旋システム
【図１】
2018136798.tif 000003
【図２】
2018136798.tif 000004
【図３】
2018136798.tif 000005
【図４】
2018136798.tif 000006
【図５】
2018136798.tif 000007
【図６】
2018136798.tif 000008
【図７】
2018136798.tif 000009
【図８】
2018136798.tif 000010
【図９】
2018136798.tif 000011
【図１０】
2018136798.tif 000012
【図１１】
2018136798.tif 000013
【図１２】
2018136798.tif 000014
【図１３】
2018136798.tif 000015
【図１４】
2018136798.tif 000016
【手続補正書】
【提出日】平成29年7月27日(2017.7.27)
【手続補正１】
【補正対象書類名】特許請求の範囲
【補正対象項目名】全文
【補正方法】変更
【補正の内容】
【特許請求の範囲】
【請求項１】
広告主が依頼する広告行為を指定する依頼情報であって、当該広告行為を実施する時間帯を指定する時間帯指定情報と、当該広告行為を実施する場所を指定する場所指定情報とを含む依頼情報を取得する依頼情報取得部と、
行為者が実施可能な行為条件を指定する行為条件情報であって、広告行為を実施可能な時間帯に関する条件を指定する時間帯条件情報と、当該広告行為を実施可能な場所に関する条件を指定する場所条件情報を含む行為条件情報を取得する行為条件情報取得部と、
上記依頼情報および上記行為条件情報を参照して、上記時間帯指定情報の指定する時間帯が上記時間帯条件情報の指定する条件を充足し、かつ、上記場所指定情報の指定する場所が上記場所条件情報の指定する条件を充足するとき、上記広告行為の実施を上記行為者に指示する指示情報を作成する指示情報作成部と、を備えている、
ことを特徴とする広告斡旋装置。
【請求項２】
上記依頼情報は、上記広告行為を実施するために用いる物品を指定する物品指定情報を含み、
当該広告斡旋装置は、上記物品指定情報の指定する物品を上記行為者に配送するための配送情報を作成する配送情報作成部を更に備えている、
ことを特徴とする請求項１に記載の広告斡旋装置。
【請求項３】
上記広告行為の実施状況を評価する実施状況評価部と、
上記実施状況評価部の評価結果に応じた広告料を上記広告主に請求するための請求情報を作成する請求情報作成部と、を更に備えている、
ことを特徴とする請求項１又は２に記載の広告斡旋装置。
【請求項４】
ソーシャルネットワークサービスに投稿されたコンテンツであって、上記広告行為に関連するコンテンツのコンテンツ数を計測するコンテンツ数計測部を更に備え、
上記実施状況評価部は、上記コンテンツ数に応じて上記広告行為の実施状況を評価する、
ことを特徴とする請求項３に記載の広告斡旋装置。
【請求項５】
上記コンテンツ数計測部は、上記時間帯指定情報の指定する時間帯に上記場所指定情報の指定する場所から上記ソーシャルネットワークサービスに投稿されたコンテンツであって、上記広告行為に関連する語を含むテキストコンテンツ、又は、上記広告行為に関連する像を含むイメージコンテンツのコンテンツ数を計測する、
ことを特徴とする請求項４に記載の広告斡旋装置。
【請求項６】
上記行為者が所持する端末で集音した音声を表す音声データ、又は、上記端末で撮像した画像を表す画像データを取得するデータ取得部と、
上記音声データ又は上記画像データに基づいて、上記行為者に対する周囲の注目度を評価する注目度評価部と、を更に備え、
上記実施状況評価部は、上記注目度に応じて上記広告行為の実施状況を評価する、
ことを特徴とする請求項３に記載の広告斡旋装置。
【請求項７】
上記行為者が所持する端末が、集音した音声又は撮像した画像に基づいて評価した、上記行為者に対する周囲の注目度を取得する注目度取得部を更に備え、
上記実施状況評価部は、上記注目度に応じて上記広告行為の実施状況を評価する、
ことを特徴とする請求項３に記載の広告斡旋装置。
【請求項８】
上記行為条件情報取得部が取得した行為条件情報を蓄積する行為条件情報蓄積部と、
上記行為条件情報蓄積部に蓄積された行為条件情報の中から、指定する行為条件に上記広告行為が該当する行為条件情報を選択する行為条件情報選択部と、を更に備え、
上記指示情報作成部が作成する指示情報は、上記広告行為の実施を、上記行為条件情報選択部が選択した行為条件情報を提供した行為者に指示するための指示情報である、
ことを特徴とする請求項１〜７の何れか１項に記載の広告斡旋装置。
【請求項９】
上記依頼情報取得部が取得した依頼情報を蓄積する依頼情報蓄積部と、
上記依頼情報蓄積部に蓄積された依頼情報の中から、指定する広告行為が上記行為条件に該当する依頼情報を選択する依頼情報選択部と、を更に備え、
上記指示情報作成部が作成する指示情報は、上記行為者に、上記依頼情報選択部が選択した依頼情報の指定する広告行為の実施を指示するための指示情報である、
ことを特徴とする請求項１〜７の何れか１項に記載の広告斡旋装置。
【請求項１０】
請求項１に記載の広告斡旋装置としてコンピュータを機能させるための広告斡旋プログラムであって、上記広告斡旋装置が備える各部として上記コンピュータを機能させるための広告斡旋プログラム。
【請求項１１】
請求項６に記載の広告斡旋装置に対して、集音した音声を表す音声データ、又は、撮像した画像を表す画像データを提供するデータ提供部を備えている、
ことを特徴とする端末装置。
【請求項１２】
集音した音声を表す音声データ、又は、撮像した画像を表す画像データに基づいて、上記行為者に対する周囲の注目度を評価する注目度評価部と、
請求項７に記載の広告斡旋装置に対して、上記注目度評価部が評価した注目度を提供する注目度提供部と、を備えている、
ことを特徴とする端末装置。
【請求項１３】
請求項１１又は１２に記載の端末装置としてコンピュータを機能させるための端末プログラムであって、上記端末装置が備える各部として上記コンピュータを機能させるための端末プログラム。